(57)【要約】【課題】フィット性、着用性及び吸収性に優れる吸収体を提供すること。【解決手段】厚さ方向Ｔにおいて、高吸水性ポリマーを含む吸収コア４７と、中間層４３とを備えており、吸収体１４が、股間領域ＭＡ及び幅方向Ｗにおいて、吸収コア４７と厚さ方向Ｔに重複する吸収コア重複領域Ｃ２OPと、吸収コア４７と厚さ方向Ｔに重複せず且つ吸収コア重複領域Ｃ２OPの両端に配置されている、一対の吸収コア非重複領域Ｃ２NPとに区画され、中間層４３が、股間領域ＭＡにおいて、吸収コア重複領域Ｃ２OP及び一対の吸収コア非重複領域Ｃ２NPに配置された、それぞれ、中間層重複部分４３OPと、一対の中間層非重複部分４３NPとを備えており、股間領域ＭＡにおいて、一対の中間層非重複部分４３NPのそれぞれの平均坪量又は厚さが、中間層重複部分４３OPの平均坪量又は厚さよりも小さいことを特徴とする吸収体１４。【選択図】図４
2020108753.tif 000002
【特許請求の範囲】
【請求項１】
長手方向、幅方向及び厚さ方向を有するとともに、長手方向中心線及び股間領域を有する、吸収性物品用の吸収体であって、
前記吸収体が、前記厚さ方向において、高吸水性ポリマーを含む吸収コアと、中間層とを備えており、
前記吸収体が、前記股間領域及び前記幅方向において、前記吸収コアと前記厚さ方向に重複する吸収コア重複領域と、前記吸収コアと前記厚さ方向に重複せず且つ前記吸収コア重複領域の両端に配置されている、一対の吸収コア非重複領域とに区画され、
前記中間層が、前記股間領域において、前記吸収コア重複領域及び前記一対の吸収コア非重複領域に配置された、それぞれ、中間層重複部分と、一対の中間層非重複部分とを備えており、
前記股間領域において、前記一対の中間層非重複部分のそれぞれの平均坪量が、前記中間層重複部分の平均坪量よりも小さいか、又は前記一対の中間層非重複部分のそれぞれの厚さが、前記中間層重複部分の厚さよりも小さい、
ことを特徴とする、前記吸収体。
【請求項２】
前記股間領域において、前記中間層非重複部分の平均坪量が、前記中間層重複部分の平均坪量よりも小さい、請求項１に記載の吸収体。
【請求項３】
前記中間層重複部分が、折り畳まれている一体の中間シートから構成されており、複数のシート部分を含む、請求項１又は２に記載の吸収体。
【請求項４】
前記複数のシート部分が、お互いに接合されていない、請求項３に記載の吸収体。
【請求項５】
前記中間層が、第１シート部分と、一対の第２シート部分と、一対の第３シート部分とを備えており、
第１シート部分が、前記長手方向中心線をまたいで前記吸収コア重複領域に配置されており、
前記一対の第２シート部分が、第１シート部分の前記幅方向の両端から前記長手方向中心線に近づくように且つ前記長手方向中心線に接しないように配置されており、
前記一対の第３シート部分が、前記一対の第２シート部分の、前記長手方向中心線よりの両端から前記長手方向中心線から遠ざかるように、そして前記吸収コア非重複領域まで配置されている、
請求項３又は４に記載の吸収体。
【請求項６】
一対の第３シート部分が、第１シート部分よりも、前記吸収コア側に配置されている、請求項５に記載の吸収体。
【請求項７】
前記中間層が肌側に配置され、前記吸収コアが着衣側に配置されており、前記吸収体が、前記中間層の肌側に、高吸水性ポリマーを含む追加吸収コアをさらに備えている、請求項１〜６のいずれか一項に記載の吸収体。
【請求項８】
前記股間領域において、前記追加吸収コアが、前記長手方向中心線と、前記厚さ方向に重複する位置に、チャネルを備えている、請求項７に記載の吸収体。
【請求項９】
前記吸収体が、前記股間領域において、前記長手方向中心線と、前記厚さ方向に重複する位置に、周囲と比較して坪量の少ない低坪量領域を備えている、請求項１〜８のいずれか一項に記載の吸収体。
【請求項１０】
前記吸収体が、前記低坪量領域と前記厚さ方向に重複する位置にインジケーターを備えている、請求項９に記載の吸収体。
【請求項１１】
液透過性シートと、液不透過性シートと、それらの間に配置された吸収体とを備える吸収性物品であって、
前記吸収体が、請求項１〜１０のいずれか一項に記載の吸収体である、
前記吸収性物品。
【請求項１２】
前記吸収体が、前記股間領域において、前記長手方向中心線と、前記厚さ方向に重複する位置に、周囲と比較して坪量の少ない低坪量領域を備えており、
前記吸収性物品が、前記低坪量領域と前記厚さ方向に重複する位置にインジケーターを備えている、
請求項１１に記載の吸収性物品。
【請求項１３】
前記インジケーターが、前記液透過性シート及び前記吸収体の間、又は前記吸収体及び前記液不透過性シートの間に配置されている、請求項１２に記載の吸収性物品。
【発明の詳細な説明】
【技術分野】
【０００１】
本開示は、吸収性物品用の吸収体、及び吸収性物品に関する。
【背景技術】
【０００２】
高吸水性ポリマーを含む第１吸収層と、高吸水性ポリマーを含む第２吸収層と、それらの間に配置された布帛層とを備えている、吸収性物品用の吸収体が知られている。
例えば、特許文献１には、吸水性樹脂及び接着剤を含有してなる吸収層が親水性不織布により挟持された構造を有する吸水シートであって、以下（１）〜（２）の要件を満たす、通気性を有する基材の２層以上が接着剤により接着され積層されてなる基材層により、該吸収層が１次吸収層と２次吸収層とに分画されてなる構造を有する、吸水シート：（１）該基材層の目付量が２５ｇ/ｍ2以上であること、及び（２）該通気性を有する基材間が０．１〜５０ｇ／ｍ2の量の接着剤で接着されていることが記載されている。
【先行技術文献】
【特許文献】
【０００３】
【特許文献１】国際公開第２０１０／１４３６３５号
【発明の概要】
【発明が解決しようとする課題】
【０００４】
特許文献１に記載の吸水シート（吸収体）では、基材層は、（ｉ）吸水性樹脂（高吸水性ポリマー）が液体の吸収速度に劣ることに起因し、吸水シート（吸収体）に到達した液体を一時貯留する機能（一時貯留機能）、（ｉｉ）吸水性樹脂（高吸水性ポリマー）によるブロッキングしやすさに起因し、吸水シート（吸収体）、ひいてはそれを含む吸収性物品の吸収性が低下することを抑制する機能等を有する。
【０００５】
一方、吸水シート（吸収体）の一時貯留機能を向上させるためには、基材層の厚さ（坪量）は厚いことが好ましいが、それにより、吸水シート（吸収体）、ひいてはそれを含む吸収性物品が硬くなる傾向があり、吸収性物品を装着者の身体形状に沿って変形させることが難しく、フィット性に劣る傾向があり、そして着用性に劣る傾向があった。
また、基材層の厚さ（坪量）を厚くすると、基材層が、液体を一時貯留する一方で、一時貯留した液体を一次吸収層及び２次吸収層に移行させにくく、ひいては吸収体が吸収性に劣る傾向があった。
従って、本開示は、フィット性、着用性及び吸収性に優れる吸収体を提供することを目的とする。
【課題を解決するための手段】
【０００６】
本開示者らは、長手方向、幅方向及び厚さ方向を有するとともに、長手方向中心線及び股間領域を有する、吸収性物品用の吸収体であって、上記吸収体が、上記厚さ方向において、高吸水性ポリマーを含む吸収コアと、中間層とを備えており、上記吸収体が、上記股間領域及び上記幅方向において、上記吸収コアと上記厚さ方向に重複する吸収コア重複領域と、上記吸収コアと上記厚さ方向に重複せず且つ上記吸収コア重複領域の両端に配置されている、一対の吸収コア非重複領域とに区画され、上記中間層が、上記股間領域において、上記吸収コア重複領域及び上記一対の吸収コア非重複領域に配置された、それぞれ、中間層重複部分と、一対の中間層非重複部分とを備えており、上記股間領域において、上記一対の中間層非重複部分のそれぞれの平均坪量が、上記中間層重複部分の平均坪量よりも小さいか、又は上記一対の中間層非重複部分のそれぞれの厚さが、上記中間層重複部分の厚さよりも小さいことを特徴とする吸収体を見出した。
【発明の効果】
【０００７】
本開示の吸収体は、フィット性、着用性及び吸収性に優れる。
【図面の簡単な説明】
【０００８】
【図１】図１は、展開状態における、第１実施形態に従うパンツ型おむつ１の正面図である。
【図２】図２は、展開状態におけるパンツ型おむつ１の背面図である。
【図３】図３は、パンツ型おむつ１の、図１のＩＩＩ−ＩＩＩ線に沿った断面図である。
【図４】図４は、吸収体１４の、図１のＩＩＩ−ＩＩＩ線に沿った断面図である。
【図５】図５は、吸収体１４を説明するための図である。
【図６】図６は、吸収体１４を説明するための図である。
【図７】図７は、第２実施形態に従うパンツ型おむつを説明するための図である。
【発明を実施するための形態】
【０００９】
具体的には、本開示は以下の態様に関する。
［態様１］
長手方向、幅方向及び厚さ方向を有するとともに、長手方向中心線及び股間領域を有する、吸収性物品用の吸収体であって、
上記吸収体が、上記厚さ方向において、高吸水性ポリマーを含む吸収コアと、中間層とを備えており、
上記吸収体が、上記股間領域及び上記幅方向において、上記吸収コアと上記厚さ方向に重複する吸収コア重複領域と、上記吸収コアと上記厚さ方向に重複せず且つ上記吸収コア重複領域の両端に配置されている、一対の吸収コア非重複領域とに区画され、
上記中間層が、上記股間領域において、上記吸収コア重複領域及び上記一対の吸収コア非重複領域に配置された、それぞれ、中間層重複部分と、一対の中間層非重複部分とを備えており、
上記股間領域において、上記一対の中間層非重複部分のそれぞれの平均坪量が、上記中間層重複部分の平均坪量よりも小さいか、又は上記一対の中間層非重複部分のそれぞれの厚さが、上記中間層重複部分の厚さよりも小さい、
ことを特徴とする、上記吸収体。
【００１０】
吸収コアの、吸収体の幅方向の端縁（すなわち、吸収コア重複領域と、吸収コア非重複領域との境界）は、そもそも、変形誘導の起点になりやすいとも考えられる。しかし、高吸水性ポリマーの比率が高い吸収体は、従来のパルプ繊維及び高吸水性ポリマーを含むものと比較して、吸収体の坪量及び剛性が低い傾向があり、吸収コアの、吸収体の幅方向の端縁（すなわち、吸収コア重複領域と、吸収コア非重複領域との境界）が、変形誘導の起点となりにくい傾向がある。
【００１１】
上記吸収性物品では、股間領域において、一対の中間層非重複部分のそれぞれの平均坪量が、中間層重複部分の平均坪量よりも小さい場合には、吸収体の吸収コア重複領域における剛性と、吸収体の、一対の吸収コア非重複領域のそれぞれにおける剛性との差が大きくなり、吸収コアの、吸収体の幅方向の端縁（すなわち、吸収コア重複領域と、吸収コア非重複領域との境界）が、変形誘導の起点となりやすい。
従って、装着者が、上記吸収体を備える吸収性物品を着用する際には、吸収体の吸収コア重複領域と、吸収体の吸収コア非重複領域との境界が変形誘導部として機能し、上記吸収体を備える吸収性物品が、装着者の体にフィットすることができるので、上記吸収体が、フィット性に優れる。
【００１２】
また、吸収性物品の着用後且つ吸収体が液体を吸収する前においては、相対的に平均坪量の高い中間層重複部分が、装着者に高吸水性ポリマーの硬さを覚えさせにくくすることができるとともに、相対的に平均坪量の低い中間層非重複部分が、装着者の脚に柔らかさを覚えさせることができ、上記吸収体が、着用感に優れる。
さらに、吸収体が液体を吸収した後においては、相対的に平均坪量の高い中間層重複部分が、より多くの液体を一時貯留し、一時貯留した液体を、隣接する吸収コアの高吸水性ポリマーに引き渡すことができるので、上記吸収体が、吸収性に優れる。
【００１３】
上記吸収性物品では、股間領域において、一対の中間層非重複部分のそれぞれの厚さが、中間層重複部分の厚さよりも小さい場合には、吸収体の吸収コア重複領域における厚さと、吸収体の、一対の吸収コア非重複領域のそれぞれにおける厚さとの差が大きくなり、平均坪量の場合と同様に、吸収コアの、吸収体の幅方向の端縁（すなわち、吸収コア重複領域と、吸収コア非重複領域との境界）が、変形誘導の起点となりやすい。
【００１４】
また、吸収性物品の着用後且つ吸収体が液体を吸収する前においては、相対的に厚さの大きい中間層重複部分が、装着者に高吸水性ポリマーの硬さを覚えさせにくくすることができるとともに、相対的に厚さの小さい中間層非重複部分が、装着者の脚に柔らかさを覚えさせることができ、上記吸収体が、着用感に優れる。
さらに、吸収体が液体を吸収した後においては、相対的に厚さの大きい中間層重複部分が、より多くの液体を一時貯留し、一時貯留した液体を、隣接する吸収コアの高吸水性ポリマーに引き渡すことができるので、上記吸収体が、吸収性に優れる。
【００１５】
［態様２］
上記股間領域において、上記中間層非重複部分の平均坪量が、上記中間層重複部分の平均坪量よりも小さい、態様１に記載の吸収体。
【００１６】
上記吸収体は、態様１において、「股間領域において、中間層の一対の中間層非重複部分のそれぞれの平均坪量が、中間層重複部分の平均坪量よりも小さい場合」と同一の効果を有する。
【００１７】
［態様３］
上記中間層重複部分が、折り畳まれている一体の中間シートから構成されており、複数のシート部分を含む、態様１又は２に記載の吸収体。
【００１８】
上記吸収体では、中間層重複部分が、折り畳まれている単一の中間シートから構成されているので、上記吸収体が着用感に優れる。
【００１９】
［態様４］
上記複数のシート部分が、お互いに接合されていない、態様３に記載の吸収体。
【００２０】
上記吸収体では、複数のシート部分がお互いに接合されていないので、吸収体中の高吸水性ポリマーが液体を吸収し、特に、複数回の液体を吸収し、吸収コアが厚さ方向に膨張しようとした場合に、折り畳まれている中間シートの復元力により、複数のシート部分が離間し、それらの間に空隙を形成することができる。次いで、吸収体が、液体を繰り返し吸収すると、吸収コアが、上記空隙部に向かって膨張することができるので、吸収コアの膨張が阻害されにくい。従って、上記吸収体が、吸収性、特に、繰り返し吸収性に優れる。
【００２１】
［態様５］
上記中間層が、第１シート部分と、一対の第２シート部分と、一対の第３シート部分とを備えており、
第１シート部分が、上記長手方向中心線をまたいで上記吸収コア重複領域に配置されており、
上記一対の第２シート部分が、第１シート部分の上記幅方向の両端から上記長手方向中心線に近づくように且つ上記長手方向中心線に接しないように配置されており、
上記一対の第３シート部分が、上記一対の第２シート部分の、上記長手方向中心線よりの両端から上記長手方向中心線から遠ざかるように、そして上記吸収コア非重複領域まで配置されている、
態様３又は４に記載の吸収体。
【００２２】
上記吸収体では、中間層が所定の構造（以下、「Ω構造」と称する場合がある）を有するので、上記吸収体が、着用感に優れる。
【００２３】
［態様６］
一対の第３シート部分が、第１シート部分よりも、上記吸収コア側に配置されている、態様５に記載の吸収体。
【００２４】
上記吸収体では、中間層がΩ構造を有するとともに、一対の第３シート部分が、第１シート部分よりも、上記吸収コア側に配置されている。従って、吸収コアの、長手方向中心線を含む部分（以下、「幅方向中央部分」と称する）が液体を吸収し、吸収コアの幅方向中央部分が厚さ方向に隆起した場合に、それに伴い第１シート部分が隆起し、第１シート部分と、第２シート部分及び第３シート部分とが離間し、それらの間に空隙を形成することができる。次いで、吸収体が、液体を繰り返し吸収し、吸収コアの幅方向中央部分に隣接する部分（以下、「幅方向隣接部分」と称する）に液体が到達した際に、吸収コアの幅方向隣接部分が、上記空隙に向かって膨張することができるので、上記吸収性物品は、液体の吸収性が阻害されにくい。以上より、上記吸収体は、繰り返し吸収性に優れる。
【００２５】
［態様７］
上記中間層が肌側に配置され、上記吸収コアが着衣側に配置されており、上記吸収体が、上記中間層の肌側に、高吸水性ポリマーを含む追加吸収コアをさらに備えている、態様１〜６のいずれか一項に記載の吸収体。
【００２６】
上記吸収体は、態様１と同様の効果を有する。また、態様７が態様４に従属する場合には、吸収体が、中間層を間に挟んで２つの吸収コア（吸収コア及び追加吸収コア）を備えているので、２つの吸収コアが、２つの吸収コア（吸収コア及び追加吸収コア）の間に形成される空隙に向かって膨張することができるので、上記吸収体は、液体の吸収が阻害されにくく、液体の吸収性に優れる。以上より、上記吸収体は、繰り返し吸収性に優れる。
【００２７】
［態様８］
上記股間領域において、上記追加吸収コアが、上記長手方向中心線と、上記厚さ方向に重複する位置に、チャネルを備えている、態様７に記載の吸収体。
【００２８】
上記吸収体では、追加吸収コアが、長手方向中心線と、吸収体の厚さ方向に重複する位置に、チャネルを備えているので、吸収体、ひいては吸収性物品をチャネルに沿って変形誘導させることができる。従って、上記吸収体が、フィット性に優れる。
【００２９】
［態様９］
上記吸収体が、上記股間領域において、上記長手方向中心線と、上記厚さ方向に重複する位置に、周囲と比較して坪量の少ない低坪量領域を備えている、態様１〜８のいずれか一項に記載の吸収体。
【００３０】
上記吸収体は、股間領域に、所定の低坪量領域を備えているので、上記吸収体は、長手方向中心線のところの剛性が低く長手方向中心線のところが変形誘導の起点となりやすい。従って、装着者が、上記吸収体を含む吸収性物品を着用する際に、吸収体の長手方向中心線のところを、例えば、装着者から遠ざかるように、又は装着者に近づくように変形誘導させることができる。従って、上記吸収体が、フィット性に優れる。
【００３１】
［態様１０］
上記吸収体が、上記低坪量領域と上記厚さ方向に重複する位置にインジケーターを備えている、態様９に記載の吸収体。
【００３２】
上記吸収体は、低坪量領域と、吸収体の厚さ方向に重複する位置にインジケーターを備えているので、吸収体に到達した液体が、インジケーターに迅速に到達することができるので、利用者が、吸収性物品の交換のタイミングを逸しにくい。
【００３３】
［態様１１］
液透過性シートと、液不透過性シートと、それらの間に配置された吸収体とを備える吸収性物品であって、
上記吸収体が、態様１〜１０のいずれか一項に記載の吸収体である、
上記吸収性物品。
上記吸収性物品は、態様１と同様の効果を有する。
【００３４】
［態様１２］
上記吸収体が、上記股間領域において、上記長手方向中心線と、上記厚さ方向に重複する位置に、周囲と比較して坪量の少ない低坪量領域を備えており、
上記吸収性物品が、上記低坪量領域と上記厚さ方向に重複する位置にインジケーターを備えている、
請求項１１に記載の吸収性物品。
【００３５】
上記吸収性物品は、吸収体の低坪量領域と、吸収体の厚さ方向に重複する位置にインジケーターを備えているので、吸収体に到達した液体が、インジケーターに迅速に到達することができるので、利用者が、吸収性物品の交換のタイミングを逸しにくい。
【００３６】
［態様１３］
上記インジケーターが、上記液透過性シート及び上記吸収体の間、又は上記吸収体及び上記液不透過性シートの間に配置されている、態様１２に記載の吸収性物品。
【００３７】
上記吸収性物品では、インジケーターが所定の位置に配置されているので、液体が、インジケーターに迅速に到達し、インジケーターが迅速に応答することができるとともに、インジケーターが視認性に優れる。
【００３８】
本開示の、吸収性物品用の吸収体（以下、「本開示の吸収体」と称する場合がある）、及び吸収性物品について、以下、詳細に説明する。なお、説明の簡略化のため、吸収性物品の実施形態において、吸収体を併せて説明する。
【００３９】
図１〜図６は、本開示の実施形態の１つ（以下、第１実施形態）に従う吸収性物品、具体的には、パンツ型おむつ１を説明するための図である。具体的には、図１及び図２は、それぞれ、展開状態におけるパンツ型おむつ１の正面図及び背面図である。図３は、パンツ型おむつ１の、図１のＩＩＩ−ＩＩＩ線に沿った断面図である。図４は、吸収体１４の、図１のＩＩＩ−ＩＩＩ線に沿った断面図である。図５は、吸収体１４を説明するための図であり、図５（ａ）は、平面図であり、図５（ｂ）は、図５（ａ）におけるＶｂ−Ｖｂ線に沿った断面図である。図６は、吸収体１４が液体を吸収するメカニズムを説明するための図である。なお、図面は模式図であり、特に、図３〜図６は、理解のため、厚さ方向Ｔの厚さが実際よりも厚く描写されている。
【００４０】
パンツ型おむつ１は、図１に示す状態において、互いに直交する長手方向Ｌ、幅方向Ｗ及び厚さ方向Ｔを有し、幅方向Ｗの中心を通り長手方向Ｌに延びる長手方向中心線ＣＬと、長手方向Ｌの中心を通り幅方向Ｗに延びる幅方向中心線ＣＷとを有する。長手方向中心線ＣＬに近づく向き及び側を、それぞれ、幅方向Ｗの内向き及び内側とし、遠ざかる向き及び側を、それぞれ、幅方向Ｗの外向き及び外側とする。幅方向中心線ＣＷに近づく向き及び側を、それぞれ、長手方向Ｌの内向き及び内側とし、遠ざかる向き及び側を、それぞれ、長手方向Ｌの外向き及び外側とする。
【００４１】
また、長手方向Ｌにおける、装着者の腹部に対応するパンツ型おむつ１の端縁（腹側の端縁）に向かう側を長手方向Ｌの前側ともいい、装着者の背中に対応するパンツ型おむつ１の端縁（背側の端縁）に向かう側を長手方向Ｌの後側ともいう。
「平面視」は、長手方向Ｌ及び幅方向Ｗを含む平面に展開した状態のパンツ型おむつ１を厚さ方向Ｔの上方側から見ることをいい、「平面形状」は、平面視で把握される形状をいう。
【００４２】
「平面方向」は、幅方向Ｗ及び長手方向Ｌを含む面と平行な任意の方向である。
「肌側」及び「非肌側」は、パンツ型おむつ１が装着者に装着された場合に、厚さ方向Ｔにおいて相対的に装着者の肌面に近くなる側及び遠くなる側をそれぞれ意味する。
これら定義はパンツ型おむつ１だけでなく、パンツ型おむつ１の吸収体、並びにそれらに配置された各資材に、共通して用いられる。
【００４３】
なお、部材、構造、形状等（以下、「部材等」と称する）が長手方向Ｌに沿うとは、部材等が長手方向Ｌに平行な場合だけでなく、部材等の長手方向Ｌの成分Ｄｘが、部材等の幅方向Ｗの成分Ｄｙよりも大きい場合（Ｄｘ＞Ｄｙ）も含んでいる。同様に、部材等が幅方向Ｗに沿うとは、部材等が幅方向Ｗに平行な場合だけでなく、部材等の幅方向Ｗの成分Ｄｙが、部材等の長手方向Ｌの成分Ｄｘよりも大きい場合（Ｄｙ＞Ｄｘ）も含んでいる。曲線、曲面等（以下、「曲線等」と称する）の形状を有する部材等に関しては、曲線等上の各点の接線について、部材等を上記のように評価する。
【００４４】
図１及び図２に示すように、パンツ型おむつ１は、お互いに直交する平面方向Ｐと、厚さ方向Ｔを有し、平面方向Ｐは、パンツ型おむつ１の長手方向Ｌ及び幅方向Ｗを含む。
パンツ型おむつ１は、長手方向Ｌにおいて、腹側部（腹側ウエストベルト）２と、背側部（背側ウエストベルト）３と、腹側部２と背側部３との間に位置する吸収性本体１０とを備える。第１実施形態では、パンツ型おむつ１は、腹側部２と背側部３との間に位置する股間部４を更に備える。腹側部２は、装着者の腹部に当接する部分である。背側部３は、装着者の尻部又は背部に当接する部分である。吸収性本体１０は装着者の股間に当接する部分であり、長手方向Ｌの一端部が腹側部２に、他端部が背側部３にそれぞれ積層される。股間部４は、吸収性本体１０を非肌側から支持する部分である。
【００４５】
腹側部２の幅方向Ｗの両端部２ａ、２ａと、背側部３の幅方向Ｗの両端部３ａ、３ａとが、それぞれ、長手方向Ｌに沿って接合されることで、パンツ型おむつ１が形成される。パンツ型おむつ１では、腹側部２における長手方向Ｌの外側の端部２ｅと背側部３における長手方向Ｌの外側の端部３ｅとにより装着者の腰が通るウエスト開口部が画定される。また、パンツ型おむつ１では、股間部４における幅方向Ｗの両側の側部５ｅ、５ｅにより装着者の脚が通る一対のレッグ開口部が画定される。なお、腹側部（腹側ウエストベルト）２及び背側部（背側ウエストベルト）３は、両端部２ａ、２ａと両端部３ａ、３ａとが接合する長手方向Ｌの範囲で画定される部分といえる。
【００４６】
第１実施形態では、図１及び図２に示す状態で、腹側部２及び背側部３のそれぞれは、概ね幅方向Ｗに拡がる矩形形状を有し、長手方向Ｌに互いに離間している。股間部４は、腹側部２と背側部３との間に位置し、幅方向Ｗの両側縁が幅方向Ｗの内向きに窪んでいる。腹側部２、股間部４及び背側部３は互いに一体的に形成される。別の実施形態（図示されず）では、腹側部２、股間部４及び背側部３は互いに別個に形成される。更に、別の実施形態（図示されず）では、パンツ型おむつ１は、腹側部２及び背側部３を備え、股間部４を備えない。
【００４７】
第１実施形態では、腹側部２、背側部３及び股間部４は、液不透過性のカバーシート（シート部材）５を備えている。カバーシート５は、肌側に位置するカバーシート５ａと非肌側に位置するカバーシート５ｂとを含む。カバーシート５ａとカバーシート５ｂとは、厚さ方向Ｔに積層されており、接着剤等で互いに接合されている。カバーシート５ｂの長手方向Ｌの両端部は、カバーシート５ａの長手方向Ｌの両端部を覆うように、肌側に折り返されている。腹側部２及び背側部３における折り返しの位置のカバーシート５ｂが、それぞれ腹側部２の端部２ｅ及び背側部３の端部３ｅを構成している。
【００４８】
第１実施形態では、腹側部２及び背側部３は、カバーシート５ａとカバーシート５ｂとの間に、それぞれウェストギャザー用の複数の弾性部材６ａ、６ｂ及び複数の弾性部材７ａ、７ｂを備える。複数の弾性部材６ａ、６ｂは、それぞれ、腹側部２の長手方向Ｌの外側及び内側に配置されている。複数の弾性部材６ａは、長手方向中心線ＣＬを挟んで両側のそれぞれの所定領域において、幅方向Ｗに沿って、長手方向Ｌに互いに間隔を空けて配置されている。所定領域は、端部２ａから吸収性本体１０における幅方向Ｗの対向する端縁の内側の部分までの領域である。複数の弾性部材６ｂは、幅方向Ｗに沿って、一方の端部２ａから他方の端部２ａまで延びており、長手方向Ｌに互いに間隔を空けて配置されている。同様に、複数の弾性部材７ａ、７ｂは、それぞれ背側部３の長手方向Ｌの外側及び内側に配置されている。
【００４９】
複数の弾性部材７ａは、長手方向中心線ＣＬを挟んで両側のそれぞれの所定領域において、幅方向Ｗに沿って、長手方向Ｌに互いに間隔を空けて配置されている。所定領域は、端部３ａから吸収性本体１０における幅方向Ｗの対向する端縁の内側の部分までの領域である。複数の弾性部材７ｂは、幅方向Ｗに沿って、一方の端部３ａから他方の端部３ａまで延びており、長手方向Ｌに互いに間隔を空けて配置されている。複数の弾性部材６ａ、６ｂ、７ａ、７ｂは、ウエスト開口部を伸縮させるものであり、糸ゴムに例示される。腹側部（腹側ウエストベルト）２及び背側部（背側ウエストベルト）３は、複数の弾性部材６ａ、６ｂ、７ａ、７ｂが配置された長手方向Ｌの範囲で画定される部分ともいえる。
【００５０】
第１実施形態では、パンツ型おむつ１は、股間部４から背側部３及び腹側部２にレッグギャザー用の複数の弾性部材８を備える。複数の弾性部材８は、主に股間部４における幅方向Ｗの両端部を長手方向Ｌに沿って延設されている。複数の弾性部材８は、一対のレッグ開口部をそれぞれ伸縮させるものであり、糸ゴムに例示される。
【００５１】
第１実施形態では、吸収性本体１０は、略矩形の形状を有し、液透過性シート１２と、液不透過性シート１３と、液透過性シート１２及び液不透過性シート１３の間に配置されており、尿等の液体を吸収し、保持する吸収体１４とを含む。液透過性シート１２として、例えば、液透過性の不織布、織布、液透過孔が形成された合成樹脂フィルム、並びにそれらの複合シート等が挙げられる。液不透過性シート１３として、例えば、液不透過性の不織布、合成樹脂フィルム、並びにそれらの複合シート、例えば、ＳＭＳ不織布等が挙げられる。
【００５２】
第１実施形態では、吸収体１４は、液体を吸収し、保持する吸収コアと、吸収コアを内包するコアラップとを含む。吸収体１４の詳細は、後述される。吸収体１４と、液透過性シート１２及び液不透過性シート１３とは、それぞれ、接着剤により接合され、液透過性シート１２と液不透過性シート１３とはそれらの周縁部分において接着剤により接合されている。接着剤としては、パンツ型おむつで公知の材料、例えば、ホットメルト接着剤が挙げられる。吸収性本体１０の形状は、長手方向Ｌに長い形状ならば上記例に限定されず、例えば、角が丸い矩形形状、短辺が外側に凸曲線の矩形形状、砂時計形状等が挙げられる。また、別の実施形態では、液不透過性シート１３が省略され、吸収体１４の非肌側の面及び液透過性シート１２の周縁部分の非肌側の面がカバーシート５に接合されている。
【００５３】
第１実施形態では、吸収性本体１０は、肌側の表面において、幅方向Ｗの両側に位置し、長手方向Ｌに延びる一対のサイドシート１７、１７を含む。各サイドシート１７は、防漏壁１６と、固定領域１５、１５とを有する。固定領域１５、１５は、サイドシート１７における長手方向Ｌの前側及び後側の端部に位置し、吸収性本体１０の肌側の表面に固定される。防漏壁１６は、サイドシート１７における長手方向Ｌの前側及び後側の固定領域１５、１５の間に位置し、それらに隣接しており、吸収性本体１０の肌側の表面に幅方向Ｗの外側の端縁を固定され、幅方向Ｗの内側の端縁を非固定とされている。防漏壁１６及び固定領域１５、１５は、例えば、サイドシート１７の幅方向Ｗの内側の部分で形成され、サイドシート１７の幅方向Ｗの外側の部分は吸収性本体１０に固定されている。
【００５４】
一対の防漏壁１６、１６は、吸収性本体１０における肌側の幅方向Ｗの両端部に、互いに向かい合うように配置され、長手方向Ｌに沿って連続的に延在する。各防漏壁１６は、幅方向Ｗの内側の端部に、長手方向Ｌに沿って延びる２本の弾性部材６１を含む。弾性部材６１は、糸ゴムに例示される。一対の防漏壁１６、１６の各々は、疎水性シート、例えば、疎水性不織布で形成される。別の実施形態では、一対の防漏壁１６、１６の各々は、親水性シート、例えば、親水性不織布で形成される。
【００５５】
次に、図１〜図５を参照して、吸収体１４について説明する。吸収体１４は、肌側に配置された第１吸収層４１と、非肌側に配置された第２吸収層４２と、第１吸収層４１及び第２吸収層４２の間に配置された中間層４３とを備える。吸収体１４は、長手方向Ｌに延びる略矩形の平面形状を有する。
【００５６】
第１実施形態では、第１吸収層４１は、液透過性を有するシートで形成された第１基材４４と、第１基材４４よりも中間層４３側に配置され、吸水性ポリマーを含む吸水材を有する第１吸水材４５とを含む。第１吸収層４１は、吸収コア部分として第１吸水材４５を有し、コアラップとして第１基材４４（及び中間層４３）を有すると見ることができる。第１吸水材４５は、第１基材４４の中間層４３側の表面と、中間層４３の第１基材４４側の表面との少なくとも一方に塗布された接着剤により、第１基材４４及び中間層４３の少なくとも一方に固定されている。
【００５７】
第１吸水材４５の吸水材は、チャネル４８を除き、第１吸収層４１内に概ね均一の坪量で配置されている。第１吸水材４５は、略矩形の平面形状を有する。第１基材４４は、略矩形の平面形状を有し、平面視で第１吸水材４５を肌側から覆っており、第１基材４４の周縁部分は第１吸水材４５の周囲からやや外側に延在する。なお、チャネル４８については後述する。
【００５８】
第１実施形態では、第２吸収層４２は、保水性及び液拡散性を有するシートで形成された第２基材４６と、第２基材４６よりも中間層４３側に配置され、吸水性ポリマーを含む吸水材を有する第２吸水材４７とを含む。第２吸収層４２は、吸収コア部分として第２吸水材４７を有し、コアラップとして第２基材４６（及び中間層４３）を有すると見ることができる。第２吸水材４７は、第２基材４６の中間層４３側の表面と、中間層４３の第２基材４６側の表面との少なくとも一方に塗布された接着剤により、第２基材４６及び中間層４３の少なくとも一方に固定される。第２吸水材４７の吸水材は、第２吸収層４２内に概ね均一の坪量で配置されている。
【００５９】
第２吸水材４７は、第１吸水材４５と幅方向Ｗに同一の幅を有する略矩形の平面形状を有する。第２基材４６は、略矩形の平面形状を有し、平面視で第２吸水材４７を非肌側から覆っており、第２基材４６の周縁部分は第２吸水材４７の周囲からやや外側に延在する。第２基材４６の幅方向Ｗの両端部は、第２吸水材４７の両側面を覆いつつ、第１基材４４の幅方向Ｗの両端部における肌側の表面を覆う。すなわち、第１吸収層４１の幅方向Ｗの端部における肌側の表面において、第２基材４６の幅方向Ｗの端部と、第１基材４４の幅方向Ｗの端部とが重ね合わされて接合されている。
【００６０】
第１基材４４の幅方向Ｗの両端部が、第１吸水材４５の幅方向Ｗの側面を覆い、第２基材４６の幅方向Ｗの側面を更に覆うことにより、第１吸水材４５が幅方向Ｗにおいて第１吸収層４１に封入され、第２吸水材４７が幅方向Ｗにおいて第２吸収層４２に封入される。
【００６１】
第１実施形態では、吸収体１４の長手方向Ｌの両端部では、第１基材４４、中間層４３及び第２基材４６が厚さ方向Ｔに積層され、接合されている。それにより、第１吸水材４５が長手方向Ｌにおいて第１基材４４と中間層４３とにより第１吸収層４１に封入され、第２吸水材４７が長手方向Ｌにおいて第２基材４６と中間層４３とにより第２吸収層４２に封入されている。
【００６２】
吸収体１４は、幅方向Ｗにおいて、第２吸水材４７と厚さ方向Ｔに重複する第２吸収コア重複領域Ｃ２OPと、第２吸水材４７と厚さ方向Ｔに重複せず且つ第２吸収コア重複領域Ｃ２OPの両端に配置されている、一対の第２吸収コア非重複領域Ｃ２NPとに区画される。第２吸収コア重複領域Ｃ２OPと、一対の第２吸収コア非重複領域Ｃ２NPとは、股間領域ＭＡと、背側領域ＢＡと、腹側領域ＦＡとに配置されている。なお、股間領域ＭＡ、背側領域ＢＡ、及び腹側領域ＦＡについては、後述する。
【００６３】
また、吸収体１４は、股間領域ＭＡ及び幅方向Ｗにおいて、第１吸水材４５と厚さ方向Ｔに重複する第１吸収コア重複領域Ｃ１OPと、第１吸水材４５と厚さ方向Ｔに重複せず且つ第１吸収コア重複領域Ｃ１OPの両端に配置されている、一対の第１吸収コア非重複領域Ｃ１NPとに区画される。
第１吸水材４５と、第２吸収材４７とは、幅方向Ｗに同一の幅を有するとともに、それらの幅方向Ｗの端縁が、厚さ方向Ｔに一致しているので、第１吸収コア重複領域Ｃ１OPと、一対の第１吸収コア非重複領域Ｃ１NPとは、厚さ方向Ｔにおいて、それぞれ、第２吸収コア重複領域Ｃ２OPと、一対の第２吸収コア非重複領域Ｃ２NPとに一致している。
【００６４】
中間層４３は、液透過性を有する、単一の中間シート４３Ｓ（具体的には、芯鞘型複合繊維を含むエアスルー不織布）から構成されている。中間層４３は、第２吸収コア重複領域Ｃ２OPと、一対の第２吸収コア非重複領域Ｃ２NPとに配置された、中間層重複部分４３OPと、一対の中間層非重複部分４３NPとを備えている。また、中間層４３は、第１吸収コア重複領域Ｃ１OPと、一対の第１吸収コア非重複領域Ｃ１NPとに渡って配置されている。
【００６５】
中間層４３は、長手方向Ｌに延びる４つの折軸１０３，折軸１０４，折軸１０５及び折軸１０６により折り畳まれている、一体の中間シート４３Ｓから構成されている。４つの折軸１０３，折軸１０４，折軸１０５及び折軸１０６は、中間シート４３Ｓの一方から他方に向かって順に配置されている。また、中間シート４３Ｓは、略均一な坪量を有する。
【００６６】
中間シート４３Ｓは、展開状態において、折軸１０４及び折軸１０５の内側に配置された第１シート部分４３ａと、第１シート部分４３ａを除いて、折軸１０３及び折軸１０６の内側に配置された一対の第２シート部分４３ｂと、折軸１０３及び折軸１０６の外側に配置された、一対の第３シート部分４３ｃとに区画される。
【００６７】
中間層４３は、展開状態における中間シート４３Ｓを、一対の第２シート部分４３ｂを、折軸１０４及び折軸１０５を軸として内側に向かって折畳み、次いで、一対の第３シート部分４３ｃを、折軸１０３及び折軸１０６を軸として外側に向かって折り畳むことにより形成されている。
【００６８】
第１シート部分４３ａは、第１吸水材４５に隣接しており、長手方向中心線ＣＬをまたいで、第２吸収コア重複領域Ｃ２OPに配置されている。一対の第２シート部分４３ｂは、第１シート部分４３ａの幅方向Ｗの両端（図示せず）から長手方向中心線ＣＬに近づくように且つ長手方向中心線ＣＬに接しないように配置されている。一対の第３シート部分４３ｃは、第２吸水材４７に隣接しており、一対の第２シート部分４３ｂの、長手方向中心線ＣＬよりの両端（図示せず）から長手方向中心線ＣＬから遠ざかるように、そして第２吸収コア非重複領域Ｃ２NPまで配置されている。
【００６９】
第１シート部分４３ａと、一対の第２シート部分４３ｂとは、第２吸収コア重複領域Ｃ２OPに配置されており、一対の第３シート部分４３ｃは、第２吸収コア重複領域Ｃ２OPと、一対の第２吸収コア非重複領域Ｃ２NPとに配置されている。
第１シート部分４３ａと、一対の第２シート部分４３ｂと、一対の第３シート部分４３ｃとは、お互いに接合されていない。
【００７０】
吸収体１４は、チャネル４８を有する。チャネル４８は、第１吸収層４１（具体的には第１吸水材４５）に配置されているとともに、長手方向Ｌに延設された帯状の領域である。チャネル４８は、第１吸収層４１（具体的には第１吸水材４５）の、長手方向中心線ＣＬと厚さ方向Ｔに重複するように配置されている。チャネル４８では、第２吸水材４７の坪量が０ｇ／ｍ2である。第２吸収層４２は、チャネルを有していない。
【００７１】
吸収体１４の、チャネル４８と厚さ方向Ｔに重複する部分は、吸収体１４の坪量が、チャネル４８の幅方向Ｗに隣接する部分よりも坪量が低い低坪量領域ＬＢを形成している。
吸収体１４は、低坪量領域ＬＢを、股間領域ＭＡと、背側領域ＢＡと、腹側領域ＦＡとに有している。
【００７２】
第１吸水材４５及び第２吸水材４７は、高吸水性ポリマー（Ｓｕｐｅｒ  Ａｂｓｏｒｂｅｎｔ  Ｐｏｌｙｍｅｒ；ＳＡＰ）を含む。第１吸水材４５及び第２吸水材４７のそれぞれの高吸水性ポリマーの坪量は、パンツ型おむつ１に要求される吸収性能に応じて適宜調整され得るが、例えば、それぞれ１０〜５００ｇ／ｍ2が挙げられ、好ましくは１００〜４００ｇ／ｍ2である。
【００７３】
第１吸水材４５及び第２吸水材４７の坪量は、一方が他方よりも多くてもよく、同等でもよい。ただし、同等とは、一方が他方の±３０％の範囲をいう。第１吸水材４５及び第２吸水材４７は、吸水性繊維（例えば、パルプ繊維）のような親水性繊維を更に有してもよい。第１吸水材４５及び第２吸水材４７における高吸水性ポリマーの割合は、例えば、８０〜１００質量％が挙げられ、好ましくは９０〜１００質量％であり、より好ましくは９５〜１００質量％である。
したがって、第１吸水材４５及び第２吸水材４７は高吸水性ポリマーを主成分として含むということができ、吸収体１４はいわゆるＳＡＰシートということができる。
【００７４】
ただし、吸収体１４（第１吸水材４５及び第２吸水材４７だけでなく、接着剤、第１基材４４、中間層４３及び第２基材４６を含む）における高吸水性ポリマーの割合としては、例えば４０〜８０質量％が挙げられ、好ましくは５０〜８０質量％であり、より好ましくは６０〜８０質量％である。
【００７５】
第１実施形態では、第１吸水材４５及び第２吸水材４７のそれぞれは、高吸水性ポリマーのみから構成され、親水性繊維を含まない。
上記高吸水性ポリマーは、その９０〜１００質量％が１５０〜５００μｍの粒径を有する高吸水性ポリマー粒子から構成されることが好ましい。上記粒径を有する高吸水性ポリマー粒子は、粒径が小さく均一であるので、接着剤に保持されやすい。高吸水性ポリマー粒子の粒径は、ＪＩＳ  Ｒ  ６００２：１９９８に記載のふるい分け試験方法に準拠して測定される。
【００７６】
上記接着剤としては、高吸水性ポリマーを固定できる接着剤であれば特に限定はなく、例えば、ホットメルト接着剤が挙げられる。接着剤の塗布のパターンとしては、特に制限はないが、例えば、連続的又は間欠的なオメガパターン、スパイラルパターン、ラインパターンが挙げられる。接着剤の坪量は、吸収体１４の液体吸収性が著しく低下しないように適宜調整され得るが、例えば、各層ごとに３〜５０ｇ／ｍ2が挙げられる。ただし、各層は、第１吸水材４５と第１基材４４との間の接着剤の層、第１吸水材４５と中間層４３との間の接着剤の層、第２吸水材４７と第２基材４６との間の接着剤の層、及び第２吸水材４７と中間層４３との間の接着剤の層を意味する。
【００７７】
第１基材４４としては、液透過性を有するシートであれば特に制限はない。第１基材４４としては、例えば、合成繊維を含む液透過性の不織布、親水性の不織布、それらの積層不織布が挙げられ、中でも透水性が高い不織布が好ましい。第１基材４４としては、例えば、ポリエチレン（ＰＥ）、ポリプロピレン（ＰＰ）のようなポリオレフィン繊維、ポリエチレンテレフタレート（ＰＥＴ）、ポリトリメチレンテレフタレート（ＰＴＴ）、ポリエチレンナフタレート（ＰＥＮ）のようなポリエステル繊維、又はそれらの組み合わせから形成されるスパンボンド不織布、エアスルー不織布等が挙げられる。
上記合成繊維は、公知の方法で親水化処理されていることが好ましい。
【００７８】
上記液透過性を有するシートは、例えば、パルプ繊維、レーヨン繊維等の親水性繊維を、親水性バインダで被覆したエアレイド不織布、上記親水性繊維と、上記合成繊維とを組み合わせた不織布、例えば、スパンレース不織布であることができる。第１実施形態では、液透過性、液保持性を有するパルプ繊維を親水性バインダで被覆したエアレイド不織布が用いられている。
【００７９】
なお、第１基材４４は、上記不織布のうちの１種又は複数種の不織布を、複数層、積層してあるものであってもよい。
第１基材４４の坪量としては、例えば、１０〜１００ｇ／ｍ2が挙げられ、好ましくは２０〜８０ｇ／ｍ2である。第１基材４４の厚さは、例えば、０．１〜５ｍｍが挙げられ、好ましくは０．１５〜３ｍｍである。
【００８０】
第２基材４６としては、保水性及び液拡散性を有するシートであれば特に制限はない。第２基材４６としては、例えば、ポリアミド繊維のような合成繊維、レーヨン繊維、アセテート繊維等の再生繊維、綿、絹、麻、パルプ（セルロース）繊維等の天然繊維、又はそれらの組み合わせから形成される不織布が挙げられる。具体的には、第２基材４６としては、例えば、ナイロンを含むスパンボンド不織布、レーヨン繊維及び／又はパルプ繊維を含むスパンレース不織布等が挙げられる。レーヨン繊維及び／又はパルプ繊維を含むスパンレース不織布は、ポリオレフィン繊維及び／又はポリエステル繊維を含んでいてもよい。第１実施形態では、液保持性、液拡散性を有する、レーヨン繊維及びパルプ繊維を含むスパンレース不織布が用いられている。
【００８１】
なお、第２基材４６は、上記不織布のうちの１種から構成されてもよく、そして上記不織布を、複数層、積層してあるものであってもよい。
第２基材４６の坪量としては、例えば、１０〜２００ｇ／ｍ2が挙げられ、好ましくは３５〜１５０ｇ／ｍ2である。第２基材４６の厚さは、例えば、０．１〜５ｍｍが挙げられ、好ましくは０．１５〜３ｍｍである。
【００８２】
中間層４３（中間シート４３Ｓ）としては、例えば、第１基材４４と同様のシートが挙げられる。中間層４３の坪量としては、例えば、１０〜１００ｇ／ｍ2が挙げられ、好ましくは１５〜８０ｇ／ｍ2である。中間層４３の厚さは、例えば、０．１〜５ｍｍが挙げられ、好ましくは０．１５〜３ｍｍである。
【００８３】
第１実施形態では、図５に示すように、吸収体１４は、長手方向Ｌに沿って並んだ、背側領域ＢＡと、腹側領域ＦＡと、股間領域ＭＡとを備える。ただし、背側領域ＢＡは、吸収体１４における背側部３と厚さ方向Ｔに重なる領域である。また、腹側領域ＦＡは、吸収体１４における腹側部２と厚さ方向Ｔに重なる領域である。股間領域ＭＡは、吸収体１４における背側領域ＢＡと腹側領域ＦＡとの間に位置する領域、すなわち股間部４と厚さ方向Ｔに重なる領域である。したがって、吸収体１４は、長手方向Ｌに沿って、背側部３と重なる背側領域ＢＡと、腹側部２と重なる腹側領域ＦＡと、股間部４と重なる股間領域ＭＡとに区画される。
【００８４】
第１実施形態では、吸収体１４は、ＳＡＰ高坪量領域１４ａと、ＳＡＰ低坪量領域１４ｂと、ＳＡＰ非配置領域１４ｃとを含む。ＳＡＰ高坪量領域１４ａは、高吸水性ポリマーの坪量が相対的に高い領域であり、第１吸収層４１と第２吸収層４２とが厚さ方向Ｔに重なった領域である。ＳＡＰ低坪量領域１４ｂは、高吸水性ポリマーの坪量が相対的に低い領域であり、厚さ方向Ｔに第１吸収層４１が存在せず、第２吸収層４２のみ存在する領域である。ＳＡＰ非配置領域１４ｃは、高吸水性ポリマーを含まない領域であり、厚さ方向Ｔに第１吸収層４１及び第２吸収層４２が存在しない領域である。ただし、高吸水性ポリマーを含まないとは、高吸水性ポリマーは存在するがその坪量が非常に少ない場合を含む。「非常に少ない」とは、高吸水性ポリマーの坪量がＳＡＰ高坪量領域１４ａの高吸水性ポリマーの坪量の５％以下の場合をいう。
【００８５】
したがって、吸収体１４では、背側領域ＢＡは、ＳＡＰ高坪量領域１４ａとしての背側ＳＡＰ高坪量領域ＢＡａと、ＳＡＰ低坪量領域１４ｂとしての背側ＳＡＰ低坪量領域ＢＡｂと、ＳＡＰ非配置領域１４ｃとしての背側ＳＡＰ非配置領域ＢＡｃとを備えている。また、吸収体１４では、腹側領域ＦＡは、ＳＡＰ高坪量領域１４ａとしての腹側ＳＡＰ高坪量領域ＦＡａと、ＳＡＰ非配置領域１４ｃとしての腹側ＳＡＰ非配置領域ＦＡｃとを備えており、腹側ＳＡＰ低坪量領域ＦＡｂを備えていない。股間領域ＭＡは、ＳＡＰ高坪量領域１４ａのみを有している。
したがって、背側ＳＡＰ高坪量領域ＢＡａ及び腹側ＳＡＰ高坪量領域ＦＡａの高吸水性ポリマーの坪量は、股間領域ＭＡの高吸水性ポリマーの坪量と同等である。なお、「同等」とは、一方が他方の０．７〜１．３倍（±３０％）の範囲にあることをいう。
【００８６】
第２吸収層４２は、平面視で、長手方向Ｌの後側の端部に、第１吸収層４１の端縁よりも外側に突出した突出部を含む。当該突出部は、背側ＳＡＰ低坪量領域ＢＡｂを含んでおり、突出部は、背側ＳＡＰ低坪量領域ＢＡｂと同一である。第２吸収層４２は、中間層４３に覆われており、したがって、突出部、すなわち背側ＳＡＰ低坪量領域ＢＡｂは、肌側を中間層４３及び第１基材４４で覆われている。
【００８７】
吸収体１４では、長手方向Ｌにおいて、背側ＳＡＰ高坪量領域ＢＡａの長さをｄａ２とし、背側ＳＡＰ低坪量領域ＢＡｂの長さをｄｂ２とし、背側ＳＡＰ非配置領域ＢＡｃの長さをｄｃ２とすると、ｄｂ２＞ｄｃ２＞ｄａ２である。すなわち、背側領域ＢＡでは、背側ＳＡＰ低坪量領域ＢＡｂの長さを相対的に長くして、全体として高吸水性ポリマーの坪量を低く抑えつつ、長手方向Ｌの後側の部分まで高吸水性ポリマーを配置している。量は少ないが背側へ流れる液体の伝え漏れを抑えやすくすることができる。
【００８８】
吸収体１４では、長手方向Ｌにおいて、腹側ＳＡＰ高坪量領域ＦＡａの長さをｄａ１とし、腹側ＳＡＰ非配置領域ＦＡｃの長さをｄｃ１とすると、ｄａ１＞ｄｃ１である。すなわち、腹側領域ＦＡでは、腹側ＳＡＰ高坪量領域ＦＡａの長さを相対的に長くして、全体として高吸水性ポリマーの坪量を高くして、長手方向Ｌの前側の端部まで高吸水性ポリマーを配置している。それにより、排泄量の多い腹側での液体を的確に吸収しやすくすることができる。
【００８９】
吸収体１４では、長手方向Ｌにおいて、ｄｃ２＞ｄｃ１である。背側ＳＡＰ非配置領域ＢＡｃの長さを相対的に長くして、排泄量の少ない背側領域ＢＡでの高吸水性ポリマーの使用量を低く抑えつつ、腹側ＳＡＰ非配置領域ＦＡｃの長さを相対的に短くして、排泄量の多い腹側領域ＦＡでの液体を的確に吸収しやすくすることができる。
【００９０】
なお、別の実施形態では、吸収体１４では、長手方向Ｌにおいて、ｄａ２＋ｄｂ２＞ｄａ１である。この場合、背側領域ＢＡにおいて長手方向Ｌに、より後側の部分まで高吸水性ポリマーを配置することで、量は少ないが背側へ流れる液体の伝え漏れをより抑え易くすることができる。
【００９１】
第１実施形態のパンツ型おむつ１では、股間領域ＭＡにおいて、一対の中間層非重複部分４３NPの平均坪量及び厚さが、それぞれ、中間層重複部分４３OPの平均坪量及び厚さよりも小さい。それにより、吸収体１４の第２吸収コア重複領域Ｃ２OPにおける剛性と、吸収体１４の、一対の第２吸収コア非重複領域Ｃ２NPのそれぞれにおける剛性との差が大きくなり、第２吸水材４７の境界が、変形誘導の起点となりやすい。
なお、第１吸水材４５の幅方向の端縁、すなわち、第１吸収コア重複領域Ｃ１OPと、一対の第１吸収コア非重複領域Ｃ１NPとの境界も、上述の変形誘導の基点として機能している。
【００９２】
また、第２吸収コア重複領域Ｃ２OPでは、相対的に平均坪量が大きい中間層重複部分４３OPが、装着者に高吸水性ポリマーの硬さを覚えさせにくくすることができ、そして一対の第２吸収コア非重複領域Ｃ２NPでは、相対的に平均坪量が小さい、一対の中間層非重複部分４３NPが、装着者の脚に柔らかさを覚えさせることができる。さらに、第２吸収コア重複領域Ｃ２OPでは、相対的に平均坪量が大きい中間層重複部分４３OPが、液体をより多く一時貯留することができるので、吸収体１４が吸収性に優れる。
【００９３】
また、中間層４３は、折り畳まれている単一の中間シート４３Ｓ、具体的には、第１シート部分４３ａと、一対の第２シート部分４３ｂと、一対の第３シート部分４３ｃとから構成されるとともに、第１シート部分４３ａと、一対の第２シート部分４３ｂと、一対の第３シート部分４３ｃとは、お互いに接合されていないので、中間層重複部分４３OPが、中間シート４３Ｓの復元力により、装着者に、第１吸水材４５及び第２吸水材４７の硬さを覚えさせにくくすることができる。
【００９４】
図６に示されるように、吸収体１４に、液体、例えば、１回目の尿が到達すると、液体が、第１吸収層４１（主に、チャネル４８）及び中間層４３を通過し、第２吸収層４２に到達すると、第２吸収層４２が隆起するとともに、中間シート４３Ｓ（第１シート部分４３ａ、一対の第２シート部分４３ｂ、及び一対の第３シート部分４３ｃ）の復元力により、第１吸収層４１（第１吸水材４５）と、第２吸収層４２（第２吸水材４７）との間に空隙１０１が形成される。
【００９５】
具体的には、第１吸収層４１では、液体がチャネル４８を通過し、中間層４３に迅速に移行する。チャネル４８の周囲の第１吸水材４５は、残存する液体を吸収し、主に厚さ方向Ｔに膨張する。
中間層４３は、液体を一時貯留する機能を有するが、中間層４３では、チャネル４８と厚さ方向Ｔに重複する位置に第１シート部分４３ａが存在し、一対の第２シート部分４３ｂ及び一対の第３シート部分４３ｃが存在しないため、チャネル４８と厚さ方向Ｔに重複する位置において、中間層４３が、液体を一時貯留する量が相対的に少なく、液体を第２吸収層４２に移行させることができる。
【００９６】
第２吸収層４２では、チャネル４８と厚さ方向Ｔに重複する位置に、主に液体が到達し、第２吸収層４２の、チャネル４８と厚さ方向Ｔに重複する部分が、厚さ方向Ｔに隆起する。第２吸収層４２（第２吸水材４７）が、厚さ方向Ｔに隆起するとともに、第１シート部分４３ａ、一対の第２シート部分４３ｂ、及び一対の第３シート部分４３ｃの復元力により、第１吸水材４５と、第２吸水材４７との間に空隙１０１が形成される。
【００９７】
次いで、吸収体１４に、追加の液体、例えば、２回目以降の尿が到達すると、中間層４３が、液体を空隙１０１に一時貯留しつつ、要求に応じて、第１吸水材４５及び第２吸水材４７に液体を供給する。
液体が供給された第１吸水材４５及び第２吸水材４７は、液体を吸収し、空隙１０１に向かって膨張することができ、第１吸水材４５及び第２吸水材４７、ひいては吸収体１４が、大量の液体、例えば、複数回の尿の吸収性に優れる。
【００９８】
次に、吸収体１４の製造方法について説明する。
まず、第２基材４６用シートを長手方向Ｌに移動させつつ、ホットメルト接着剤を第２基材４６用シートの上に塗布する。次いで、高吸水性ポリマー供給装置から高吸水性ポリマーを、ホットメルト接着剤を塗布された第２基材４６用シートにおける幅方向Ｗの両端部分及び中央部分の上に、それぞれ長手方向Ｌに沿って散布する。その際、両端部分と中央部分との間の領域（チャネルに相当）には、少量の高吸水性ポリマーが移行する。次いで、両面にホットメルト接着剤が塗布された中間層４３用シートを、第２基材４６用シート上の高吸水性ポリマーの上に積層する。
【００９９】
次いで、その積層物を長手方向Ｌに移動させつつ、他の高吸水性ポリマー供給装置から高吸水性ポリマーを、ホットメルト接着剤を塗布された中間層４３用シートにおける幅方向Ｗの中央部分の上に長手方向Ｌに沿って散布する。次いで、中間層４３用シート上の高吸水性ポリマーの上に、ホットメルト接着剤を塗布した第１基材４４用シートを、ホットメルト接着剤を高吸水性ポリマー側にして積層する。そして、第２基材４６用シートにおける幅方向Ｗの両側部を、第１基材４４用シートにおける幅方向Ｗの両側部の上に折り返して、積層物を得る。その後、一対のプレスロールに積層物を通過させる、すなわちプレスすることにより、積層物の厚さを調整して、吸収体１４を得る。
【０１００】
次に、上記吸収体１４を用いたパンツ型おむつの製造方法について説明する。
上記のように作製した吸収体１４の上面（第１基材４４の表面）に、液透過性シート１２を貼り付け、吸収体１４の下面（第２基材４６の表面）に液不透過性シート１３を貼り付けて、積層体を得る。次いで、防漏壁１６付きサイドシート１７を、積層体の幅方向Ｗの両側に取り付け、吸収性本体１０を得る。その後、吸収性本体１０をカバーシート５（弾性部材６、７、８を含む）上に貼り付け、腹側部２の幅方向Ｗの両端部２ａ、２ａと背側部３の幅方向Ｗの両端部３ａ、３ａとを接合する。それにより、パンツ型おむつ１が製造される。
【０１０１】
図７は、本開示の別の実施形態（以下、「第２実施形態」と称する場合がある）に従うパンツ型おむつ（図示せず）を説明するための図であり、第１実施形態における図３に相当する図である。
【０１０２】
第２実施形態に従うパンツ型おむつ（図示せず）は、厚さ方向Ｔにおいて、吸収体１４と、液不透過性シート１３との間、具体的には、吸収体１４の第２基材４６と、液不透過性シート１３との間にインジケーター１０７が配置されている。インジケーター１０７は、パンツ型おむつ１が、液体（例えば、尿）を吸収したことを、パンツ型おむつ１の外面にインジケートし、使用者（例えば、母親）に知らせるように機能する。
【０１０３】
インジケーター１０７は、第１吸収層４１（第１吸水材４５）に配置されたチャネル４８と、厚さ方向Ｔに重複するように、すなわち、低坪量領域ＬＢに配置されている。
低坪量領域ＬＢでは、液体は、第１吸収層４１（第１吸水材４５）のチャネル４８を通過し、中間層４３に迅速に移行する。また、低坪量領域ＬＢでは、中間層４３は、第１シート部分４３ａのみから構成されていることから、液体を第２吸収層４２に移行させることができる。第２吸収層４２に到達した液体は、インジケーター１０７に到達し、インジケーター１０７に、迅速に応答させることができる。
【０１０４】
本開示の吸収体を備えている吸収性物品は、特に制限されず、例えば、使い捨ておむつ、失禁パッド、使い捨てショーツ、生理用ナプキン、ショーツ型生理用ナプキン、パンティーライナー、産褥パッド、痔用パッド、ペット用オムツ等が挙げられる。
【０１０５】
本開示の吸収体は、吸収体の厚さ方向において、中間層と、高吸水性ポリマーを含む吸収コアとを備えており、中間層は、吸収コアよりも液透過性シート側（肌側）に配置されることも、液不透過性シート側（着衣側）に配置されることもできる。本開示の効果の観点からである。
【０１０６】
また、本開示の吸収体では、中間層が、上記吸収コアよりも液透過性シート側に配置されており、吸収体が、中間層の、液透過性シート側に、高吸水性ポリマーを含む追加吸収コアをさらに備えている、すなわち、吸収体が、中間層を間に挟んで２つの吸収コア（吸収コア及び追加吸収コア）を備えていることができる。所定の場合には、２つの吸収コアが、それらの間に形成される空隙に向かって膨張することができる。
なお、本明細書の実施形態（第１実施形態及び第２実施形態）では、上記吸収コア及び追加吸収コアは、それぞれ、第２吸水材及び第１吸水材と称されている。
【０１０７】
本開示の吸収体では、吸収コアと、所望による追加吸収コアとのそれぞれは、高吸水性ポリマーを含む。上記高吸水性ポリマーとしては、特に制限されず、当技術分野で公知のものが含まれ、例えば、デンプン系、セルロース系、合成ポリマー系の高吸水性ポリマーが挙げられる。デンプン系又はセルロース系の高吸水性ポリマーとしては、例えば、デンプン−アクリル酸（塩）グラフト共重合体、デンプン−アクリロニトリル共重合体のケン化物、ナトリウムカルボキシメチルセルロースの架橋物等が挙げられ、合成ポリマー系の高吸水性ポリマーとしては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸水性ポリマー（ＳＡＰ，Ｓｕｐｅｒ  ａｂｓｏｒｂｅｎｔ  Ｐｏｌｙｍｅｒ）等が挙げられ、ポリアクリル酸塩系（特に、ポリアクリル酸ナトリウム系）の高吸水性ポリマーが好ましい。
【０１０８】
本開示の吸収体では、吸収コアと、所望による追加吸収コアとのそれぞれは、高吸水性ポリマーを主体とするものであれば、特に制限されず、親水性繊維、例えば、パルプ繊維をさらに含んでもよい。上記吸収体は、平面視において、その形状は特に限定されるものではなく、例えば、短辺が円弧状に突出した長方形、角丸長方形、楕円、砂時計が挙げられる。上記吸収体の厚さは、例えば、０．５〜２０ｍｍが挙げられ、好ましくは１〜１０ｍｍである。
【０１０９】
本開示の吸収体は、股間領域及び吸収体の幅方向において、吸収コアと、吸収体の厚さ方向に重複する吸収コア重複領域と、吸収コアと、吸収体の厚さ方向に重複せず且つ重複領域の両端に配置されている、一対の吸収コア非重複領域とに区画される。
本開示の吸収体では、中間層は、吸収コア重複領域と、一対の吸収コア非重複領域とに渡って配置されており、股間領域において、上記吸収コア重複領域及び一対の吸収コア非重複領域に配置された、それぞれ、中間層重複部分と、一対の中間層非重複部分とを備えている。
【０１１０】
本開示の吸収体では、股間領域において、一対の中間層非重複部分のそれぞれの平均坪量が、中間層重複部分の平均坪量よりも小さいか、又は一対の中間層非重複部分のそれぞれの厚さが、中間層重複部分の厚さよりも小さく、股間領域において、一対の中間層非重複部分のそれぞれの平均坪量が、中間層重複部分の平均坪量よりも小さいことが好ましい。本開示の効果の観点からである。
【０１１１】
本明細書では、平均坪量の大小は、中間層が、折り畳まれた単一の中間シート等から構成される場合には、目視で判断することができる。目視の判断が難しい場合には、吸収体から、コールドスプレー等により、中間層を取り出し、中間層非重複部分と、一対の中間層非重複部分のそれぞれとに分離し、それらの面積、質量等から平均坪量を算出し、平均坪量の大小を決定することができる。
【０１１２】
本明細書では、厚さの大小は、最大厚さの大小を意味する。厚さの大小は、中間層が折り畳まれた、単一の中間シート等から構成される場合には、目視で判断することができる。目視の判断が難しい場合には、吸収体又は吸収性物品の股間領域を幅方向に切断し、顕微鏡等によりその断面を観察することにより、厚さの大小を決定することができる。
また、厚さの大小は、三次元計測Ｘ線ＣＴ装置（ヤマト科学（株）製  ＴＤＭ−１０００−ＩＳ／ＳＰ）にて測定することができる。例えば、三次元計測Ｘ線ＣＴ装置を用いてスキャンした画像から、所望の部分（中間層重複部分又は中間層非重複部分）の厚さを任意で２０点測定し、平均することにより決定することができる。
【０１１３】
本開示の吸収体では、中間層重複部分は、１つのシート部分、又は複数のシート部分の積層物から構成されることができ、そして複数のシート部分の積層物は、分離された複数のシート部分の積層物であることも、連続した複数のシート部分の積層物（単一のシートの折り畳み物）であってもよい。本開示の吸収体では、中間層重複部分は、分離された複数のシート部分の積層物又は連続した複数のシート部分の積層物（単一のシートの折り畳み物）であることが好ましく、そして連続した複数のシート部分の積層物（単一のシートの折り畳み物）であることがより好ましい。空隙の形成、着用感の向上等の観点からである。
【０１１４】
中間層が、連続した複数のシート部分の積層物（単一のシートの折り畳み物）である場合には、中間層が、Ω構造（第１シート部分が頂部を形成し、第３シート部分が底部を形成する）を有することが好ましく、そして中間層が、Ω構造を組み合わせた構造、例えば、Ω構造の上にΩ構造が配置された構造（例えば、頂部である第１シート部分に、Ω構造がさらに配置されている）を有していてもよい。
なお、中間層が、Ω構造を有する場合には、第１シート部分が吸収コアに接していてもよく、そして第３シート部分が吸収コアに接していてもよいが、第３シート部分が吸収コアに接していることが好ましい。空隙の形成の観点からである。
【０１１５】
複数のシート部分の積層物では、シート部分同士は、股間領域において、お互いに接合されていても、お互いに接合されていなくともよく、そしてお互いに接合されていないことが好ましい。空隙の形成の観点からである。
【０１１６】
なお、吸収体が大量の液体を吸収した後の吸収体のヨレを抑制する観点からは、シート部分同士が、お互いに部分的に接合されていてもよい。
吸収体が腹側領域及び／又は背側領域を備えている場合には、腹側領域及び／又は背側領域において、シート部分同士が、お互いに、部分的又は全体的に接合されていてもよい。
なお、中間層は、吸収コア及び所望による追加吸収コアに、ホットメルト接着剤等により接合されていても、接合されていなくともよく、接合されていることが好ましい。空隙を的確に形成する観点からである。
【０１１７】
本開示の吸収体は、長手方向中心線と、吸収体の厚さ方向に重複する位置に、周囲と比較して坪量の少ない低坪量領域を備えていることが好ましい。それにより、吸収体の長手方向中心線のところを変形誘導の基点とすることができる。
なお、上記周囲は、低坪量領域の幅方向における周囲であることが好ましい。幅方向に変形誘導させるためである。
【０１１８】
また、上記低坪量領域は、股間領域に配置されることが好ましく、そして吸収体が腹側領域及び／又は背側領域を備えている場合には、吸収体が、腹側領域及び／又は背側領域に、上記低坪量領域を備えていてもよい。上記低坪量領域は、吸収コア及び／又は所望による追加吸収コアに、後述のチャネルを配置することにより達成されることができる。
【０１１９】
本開示の吸収体は、チャネルを備えていることができる。上記チャネルは、吸収コア及び／又は所望による追加吸収コアに配置されることができる。それにより、吸収性物品を着用する際に、吸収体、ひいては吸収性物品を変形誘導させやすくなる。また、上記チャネルは、液体を、吸収体の厚さ方向に迅速に移行させることができる。
当該観点から、上記チャネルは、長手方向に沿って延びていることが好ましく、そして長手方向中心線と、吸収体の厚さ方向に重複するように延びていることがより好ましい。
【０１２０】
上記チャネルは、吸収体の股間領域に配置されることが好ましく、そして吸収体が腹側領域及び／又は背側領域を備えている場合には、上記チャネルは、腹側領域及び／又は背側領域に配置されていてもよい。
本明細書では、上記チャネルは、吸収体において、周囲の領域と比較して、吸収コアの坪量が少ない領域を意味する。上記チャネルは、吸収コアにおける周囲の領域と比較して、好ましくは７０質量％以下、より好ましくは５０質量％以下、そしてさらに好ましくは３０質量％以下の坪量を有し、０質量％の坪量を有してもよい。チャネルを変更誘導の起点とする観点からである。
吸収体が、複数の吸収コア（例えば、吸収コア及び追加吸収コア）を備える場合には、上記チャネルの坪量は、各吸収コアにおける坪量を意味する。
また、吸収体が、複数の吸収コア（例えば、吸収コア及び追加吸収コア）を備える場合には、複数の吸収コアのそれぞれが、上記チャネルを有しても、そして有しなくともよい。
【０１２１】
本開示の吸収体は、インジケーターを備えていることができる。上記インジケーターは、低坪量領域と、吸収体の厚さ方向に重複する位置に配置されることが好ましい。インジケーターの迅速な応答の観点からである。上記インジケーターは、吸収体の厚さ方向において、例えば、吸収体の肌側面、吸収体の着衣側面、吸収体の内部等に配置されうる。
【０１２２】
本開示の吸収性物品は、液透過性シートと、液不透過性シートと、それらの間に配置された上記吸収体とを備えている。上記吸収性物品は、インジケーターを備えていることができる。上記インジケーターは、低坪量領域と、吸収性物品の厚さ方向に重複する位置に配置されることが好ましい。インジケーターの迅速な応答の観点からである。上記インジケーターは、吸収性物品の厚さ方向において、例えば、液透過性シート及び吸収体の間、又は吸収体及び液不透過性シートの間等に配置されうる。
【０１２３】
本開示の吸収体及び吸収性物品では、インジケーターは、当技術分野で公知のものを特に制限せずに用いることができ、例えば、特表２０１７−５０１７６８号公報に記載の湿り度インジケーター、例えば、ｐＨインジケーター、水溶性染料を含む組成物等が挙げられる。
【０１２４】
本開示の吸収体が、コアラップをさらに備えている場合には、上記コアラップは、当技術分野で公知のラップ様式であることができる。上記コアラップは、肌側に配置された肌側コアラップと、着衣側に配置された着衣側コアラップとを備えており、肌側コアラップが、吸収体の幅方向端部で折り返されており、着衣側において、着衣側コアラップを覆っている、すなわち、肌側コアラップと、着衣側コアラップとの重複部分を有することが好ましい。上記重複部分が、液体を一時貯留することができるので、吸収体がリウェット性に優れる。
【符号の説明】
【０１２５】
１    パンツ型おむつ
２    腹側部（腹側ウエストベルト）
３    背側部（背側ウエストベルト）
４    股間部
５，５ａ，５ｂ    カバーシート
１０    吸収性本体
１２    液透過性シート
１３    液不透過性シート
１４    吸収体
４１    第１吸収層
４２    第２吸収層
４３    中間層
４３OP    中間層重複部分
４３NP    中間層非重複部分
４３Ｓ    中間シート
４３ａ    第１シート部分
４３ｂ    第２シート部分
４３ｃ    第３シート部分
４４    第１基材
４５    第１吸水材
４６    第２基材
４７    第２吸水材
４８    チャネル
６１    弾性部材
１０１    空隙
１０３，１０４，１０５，１０６    折軸
１０７    インジケーター
Ｌ    長手方向
Ｗ    幅方向
Ｔ    厚さ方向
ＣＬ    長手方向中心線
ＣＷ    幅方向中心線
ＢＡ    背側領域
ＦＡ    腹側領域
ＭＡ    股間領域
Ｃ１OP    第１吸収コア重複領域
Ｃ１NP    第１吸収コア非重複領域
Ｃ２OP    第２吸収コア重複領域
Ｃ２NP    第２吸収コア非重複領域
ＬＢ    低坪領領域
【図１】
2020108753.tif 000003
【図２】
2020108753.tif 000004
【図３】
2020108753.tif 000005
【図４】
2020108753.tif 000006
【図５】
2020108753.tif 000007
【図６】
2020108753.tif 000008
【図７】
2020108753.tif 000009